(57)【要約】【課題】  選択されたアプリケーションプログラムに応じて画像の表示方向が固定されてしまう問題があった。【解決手段】  ２つ折れ携帯電話機に関するものであって、アプリケーションプログラムを一覧表示したメニュー画面を表示するメインディスプレイないしサブディスプレイの２系統の表示手段を設けており、筐体の開閉状態に応じて、メニュー画面を表示する稼動表示部をメインディスプレイとサブディスプレイのうち選択的に切り替える。メニュー画面から選択された選択アプリケーションプログラムが選択された稼動表示部に対応して表示方向が定められている場合、選択アプリケーションプログラムに関連する画像の表示方向を稼動表示部に応じて切り替えることで、選択されたアプリケーションに応じて画面の表示方向を一律に固定せず、筐体の開閉状態に応じて表示画像の表示方向を柔軟に切り換える。【選択図】  図６
2005323241.tif 000002
【特許請求の範囲】
【請求項１】
受信信号より生成された音声信号を出力する音声出力部、記憶部に記憶された複数のアプリケーションプログラムのうち、利用者が選択可能なアプリケーションプログラムを一覧表示したメニュー画面を含む画像情報を表示する第一の表示部を有する第一の筐体と、
音声情報が入力される音声入力部、この音声入力部が設けられた面に配列されたキー操作部が設けられ、前記第一の筐体と回動軸により回動自在に連結された第二の筐体と、
前記第一の筐体において前記第一の表示部が設けられた面の背面側ないし前記第二の筐体において前記キー操作部が設けられた面の背面側のいずれかに設けられて、前記画像情報を表示する第二の表示部と、
前記回動軸を中心に前記第一の筐体と前記第二の筐体が回動して、前記第一の表示部と前記キー操作部が対向する閉状態か、前記第一の表示部と前記キー操作部が所定角度で略同一方向に開放された開状態か判断して、筐体状態の変化を検出する筐体状態検出部と、
この筐体状態検出部が検出した筐体状態に応じて、前記メニュー画面を表示する表示部を前記第一の表示部と前記第二の表示部のいずれかから選択するとともに、前記メニュー画面のうち、前記第一の表示部と前記第二の表示部に対応して表示方向が定められている所定のアプリケーションプログラムが選択された場合には、この選択アプリケーションプログラムに関連するメニューおよび実行結果を含む表示画像の表示方向を、前記第一の表示部と前記第二の表示部のうち選択された表示部に応じて切り換える制御部とを設けたことを特徴とする携帯電話機。
【請求項２】
制御部は、第一の表示部と第二の表示部のうち、選択アプリケーションプログラムに関連する表示画像が表示されている稼動表示部を、筐体状態検出部により検出された筐体状態の変化に応じて切り換えるとともに、前記表示画像の表示方向を縦方向と横方向のうち選択的に切り換えることを特徴とする請求項１に記載の携帯電話機。
【請求項３】
第一の筐体ないし第二の筐体の少なくとも一方にはカメラが設けられており、前記第一の筐体ないし前記第二の筐体の側面部には前記カメラを操作するカメラ操作部が配設されており、制御部は、前記カメラ操作部の操作ないしメニュー画面に含まれるアプリケーションプログラムのうちカメラを制御するアプリケーションプログラムが選択されたことを検出すると、前記カメラを制御するカメラメニューを表示画像として稼動表示部に表示させることを特徴とする請求項２に記載の携帯電話機。
【請求項４】
カメラは、筐体状態検出部が開状態を検出したときに、第一の表示部の正面方向の被写体を撮影する第一の撮影方向と、前記筐体状態検出部が閉状態を検出したときに、第二の筐体のキー操作部が設けられた面の背面側に位置する被写体を撮影する第二の撮影方向で撮影方向が設定されるものであり、制御部は、前記カメラの撮影方向が前記第一の撮影方向に設定されている場合には、稼動表示部である前記第一の表示部に縦方向に表示画像を表示し、前記カメラの撮影方向が前記第二の撮影方向に設定されている場合には、前記稼動表示部である前記第二の表示部に横方向に表示画像を表示することを特徴とする請求項３に記載の携帯電話機。
【請求項５】
制御部は、カメラを制御するアプリケーションプログラムが実行されている際に着信を検出すると、着信が発生したことを報知する着信報知メッセージを稼動表示部に、前記稼動表示部に表示された表示画像の表示方向と一致するように表示することを特徴とする請求項４に記載の携帯電話機。
【請求項６】
制御部は、受信信号の電界強度を表示するアイコンであるアンテナバーを稼動表示部に、前記稼動表示部に表示された表示画像の表示方向と一致するように表示することを特徴とする請求項４に記載の携帯電話機。
【発明の詳細な説明】
【技術分野】
【０００１】
本発明は、フォトおよびムービーを撮影可能なカメラを備えた携帯電話機に関するものである。
【背景技術】
【０００２】
携帯電話機は、スピーカとメインディスプレイおよびサブディスプレイを備えた上筐体と、マイクと操作部が設けられた下筐体がヒンジ部で回動自在に連結された２つ折れ型が一般的である。近年、静止画や動画撮影が可能なカメラが搭載された携帯電話機の普及が著しく、上筐体ないし下筐体のいずれかまたは両方にカメラが実装されている。また、カメラ性能が向上するのに伴い、メインディスプレイのみならずサブディスプレイをカメラファインダとして用いる携帯電話機が増えている。
【０００３】
サブディスプレイは、上筐体と下筐体が閉じられたときに、上筐体の外部に露出している、メインディスプレイよりも小型のディスプレイである。しかし、携帯電話機の機能が多様化し、サブディスプレイに表示された情報を参照して操作するアプリケーションが増加するのに伴い、サブディスプレイに効率よく多様な情報を表示させる必要性や利用者が参照しやすいように情報を表示させる必要がある。特許文献１には、選択されたアプリケーションに応じて、ディスプレイに表示される情報を自動的に縦表示または横表示に切り替える電子装置が開示されている。
【０００４】
【特許文献１】特開２０００−３０７７６８号公報
【発明の開示】
【発明が解決しようとする課題】
【０００５】
ところで、特許文献１に開示された電子装置は、インターネットデータで、例えば横方向への文字数が多いニュースは横表示を行い、項目数が多い電話帳データは縦表示を行うように、データの表示方向を切り替えている。しかし、特許文献１に開示された電子装置は、ひとつの表示ディスプレイで情報を表示するものであり、複数設けられた表示ディスプレイのうち、小型のディスプレイにいかに効率的に情報を表示するかについては開示していない。また、特許文献１に開示された電子装置は、アプリケーションに応じて表示方向が固定されるが、複数のディスプレイを用いる電子機器の場合、アプリケーションのみならず表示させるディスプレイに応じて、データの表示方向を切り替える必要性が生じることも考えられる。
【課題を解決するための手段】
【０００６】
本願は、上記のような課題を解決するためになされたものであり、目的とする。選択されたアプリケーションおよび表示されるディスプレイに応じてデータ表示方向を切り替える携帯電話機を提供することを目的とする。
【０００７】
本願発明に係る携帯電話機は、受信信号より生成された音声信号を出力する音声出力部、記憶部に記憶された複数のアプリケーションプログラムのうち、利用者が選択可能なアプリケーションプログラムを一覧表示したメニュー画面を含む画像情報を表示する第一の表示部を有する第一の筐体と、音声情報が入力される音声入力部、この音声入力部が設けられた面に配列されたキー操作部が設けられ、前記第一の筐体と回動軸により回動自在に連結された第二の筐体と、前記第一の筐体において前記第一の表示部が設けられた面の背面側ないし前記第二の筐体において前記キー操作部が設けられた面の背面側のいずれかに設けられて、前記画像情報を表示する第二の表示部と、前記回動軸を中心に前記第一の筐体と前記第二の筐体が回動して、前記第一の表示部と前記キー操作部が対向する閉状態か、前記第一の表示部と前記キー操作部が所定角度で略同一方向に開放された開状態か判断して、筐体状態の変化を検出する筐体状態検出部と、この筐体状態検出部が検出した筐体状態に応じて、前記メニュー画面を表示する表示部を前記第一の表示部と前記第二の表示部のいずれかから選択するとともに、前記メニュー画面のうち、前記第一の表示部と前記第二の表示部に対応して表示方向が定められている所定のアプリケーションプログラムが選択された場合には、この選択アプリケーションプログラムに関連するメニューおよび実行結果を含む表示画像の表示方向を、前記第一の表示部と前記第二の表示部のうち選択された表示部に応じて切り換える制御部とを設けたものである。
【発明の効果】
【０００８】
本願発明にかかる携帯電話機は、受信信号より生成された音声信号を出力する音声出力部、記憶部に記憶された複数のアプリケーションプログラムのうち、利用者が選択可能なアプリケーションプログラムを一覧表示したメニュー画面を含む画像情報を表示する第一の表示部を有する第一の筐体と、音声情報が入力される音声入力部、この音声入力部が設けられた面に配列されたキー操作部が設けられ、前記第一の筐体と回動軸により回動自在に連結された第二の筐体と、前記第一の筐体において前記第一の表示部が設けられた面の背面側ないし前記第二の筐体において前記キー操作部が設けられた面の背面側のいずれかに設けられて、前記画像情報を表示する第二の表示部と、前記回動軸を中心に前記第一の筐体と前記第二の筐体が回動して、前記第一の表示部と前記キー操作部が対向する閉状態か、前記第一の表示部と前記キー操作部が所定角度で略同一方向に開放された開状態か判断して、筐体状態の変化を検出する筐体状態検出部と、この筐体状態検出部が検出した筐体状態に応じて、前記メニュー画面を表示する表示部を前記第一の表示部と前記第二の表示部のいずれかから選択するとともに、前記メニュー画面のうち、前記第一の表示部と前記第二の表示部に対応して表示方向が定められている所定のアプリケーションプログラムが選択された場合には、この選択アプリケーションプログラムに関連するメニューおよび実行結果を含む表示画像の表示方向を、前記第一の表示部と前記第二の表示部のうち選択された表示部に応じて切り換える制御部とを設けたので、選択されたアプリケーションに応じて、画面の表示方向を一律に固定するのではなく、筐体の開閉状態から稼動表示部であるディスプレイを判断して、表示画像の表示方向を柔軟に切り換えることができるという効果を奏する。
【発明を実施するための最良の形態】
【０００９】
実施の形態１．
図１はカメラ付き携帯電話機１の外観を示す外観図である。図１に示す携帯電話機は現在市場にて広く普及している「２つ折れタイプ」と呼ばれる型であり、「上筐体」と「下筐体」の２つの筐体が折りたたみ自在に連結されて構成されている。図１（ａ）は上筐体と下筐体を開いた状態を示す斜視図である。図１（ａ）に図示されるとおり、上筐体２には第一の表示部である液晶ディスプレイ３および音声出力部であるスピーカ４が設けられている。液晶ディスプレイ３の上部には、液晶ディスプレイ３の正面方向の被写体を撮影する「自分撮り用」のカメラ５が配置される。自分撮り用のカメラ５は後述するように「カメラＢ」と記載する。下筐体６にはキー操作部７と音声入力部であるマイク８が設けられている。キー操作部７は、ダイヤルキーや方向キーを含む。上筐体２と下筐体６は回動軸であるヒンジ部９で回動自在に連結されており、折り畳み可能に構成されている。このヒンジ部９の内部を上筐体２と下筐体６に内蔵された回路基板を電気的に接続する配線が通される。
【００１０】
図１（ｂ）は上筐体２と下筐体６を閉じた携帯電話機を上筐体側から見た状態を示す斜視図である。上筐体２と下筐体６を閉じた状態で露出する面、つまり上筐体２の液晶ディスプレイ３が設けられた面の背面側には、第二の表示部として、液晶ディスプレイ３よりもやや小型の液晶ディスプレイ１０が設けられている。これらの２種類の液晶ディスプレイを区別するために、上筐体２を開いたときに露出する液晶ディスプレイ３を「メインディスプレイ」、上筐体２を閉じたときに露出する液晶ディスプレイ１０を「サブディスプレイ」と記載する。また、図１（ｃ）は上筐体と下筐体を閉じた携帯電話機を下筐体側から見た状態を示す斜視図である。下筐体６のキー操作部７が設けられた面の背面側には、この背面側に位置する被写体を撮影する「相手撮り用」のカメラ１１と、このカメラ１１が使用されないときにカメラ１１を保護するレンズカバー１２が設けられている。以後、相手撮り用のカメラ１１は後述するように「カメラＡ」と記載する。
【００１１】
カメラＡ１１およびカメラＢ５は、少なくとも被写体からの光を集光するレンズと、撮像面に結像された光を光電変換して撮像信号に変換する、例えばＣＣＤ（Charge Coupled Device  電荷結合素子）より構成される。現在市販されているカメラ付き携帯電話機においては、相手撮り用のカメラＡ１１の方が自分撮り用のカメラＢ５よりも画素数が多い高性能なカメラであることが一般的である。そして、筐体を閉じた状態で撮影する２つ折れタイプの携帯電話機の場合、相手撮り用のカメラＡ１１を用いて撮影した画像はサブディスプレイ１０に表示され、自分撮り用のカメラＢ５を用いて撮影した画像はメインディスプレイ３に表示されるという前提で説明する。つまり、カメラＡ１１を用いて撮影するときにはサブディスプレイ１０がファインダとなり、カメラＢ５を用いて撮影するときにはメインディスプレイ３がファインダとなる。
【００１２】
図２は本発明の実施の形態１にかかるカメラ付き携帯電話機の構成を示すブロック図である。図２において図１と同一の符号は同一または相当部分を示す。図２に示すカメラＡ１１は図１に示す相手撮り用カメラ１１を、カメラＢ５は自分撮り用のカメラ５に対応するものである。筐体開閉検出部１３は上筐体２と下筐体６の開閉状態を検出する筐体状態検出部あり、上筐体２と下筐体６が閉状態から開状態に移行したときには「開信号」を、開状態から閉状態に移行したときには「閉信号」をＣＰＵ１４に出力する。ＣＰＵ１４は、筐体開閉検出部１３が検出した筐体状態に応じて後述する制御を行う。カメラ・マイク・スピーカ制御部１５は、カメラＡ１１、カメラＢ５、マイク８、スピーカ４、イヤホン端子１６のオン・オフを制御するものである。
【００１３】
レンズカバー１２が開けられたことに連動してカメラＡ１１が起動されると、カメラＡ１１はレンズにより集光された被写体からの光をＣＣＤにより光電変換して撮像信号を生成するとともに、撮像信号をカメラ画像処理部１７に出力する。カメラ画像処理部１７はカメラＡ１１からの撮像信号に所定の信号処理を施して規格化された映像信号に変換する。ＣＰＵ１４はカメラ画像処理部１７からの映像信号に基づいてファインダ画面表示部１８、ディスプレイ駆動回路１９を制御し、サブディスプレイ１０に映像信号を表示させる。ユーザはサブディスプレイ１０を撮影画像を確認するファインダとして用いる。ファインダ画面表示部１８は、カメラ画像処理部１７からの映像信号に、ユーザに報知する各種メッセージを重畳して表示する処理や、撮影画像に応じてメッセージの色を変更する処理を行う。ディスプレイ駆動回路１９は、ファインダ画面表示部１８により作られた画像を表示させるよう、ファインダとなる液晶ディスプレイを駆動する処理を行う。
【００１４】
ユーザはカメラを起動する際に、操作部２０を介してカメラの動作モードを「フォト撮影」か「ムービー撮影」のいずれかから選択する。フォト撮影を選択すると、ユーザはファインダに表示された画像を見ながらシャッターボタンを押すことで撮影を行う。ＣＰＵ１４は、シャッターボタンの押下に応じて撮影された映像信号をメモリ２１に記憶させる。一方、ムービー撮影を選択すると、ＣＰＵ１４はカメラ・マイク・スピーカ制御部１５を制御して、マイク８をオンにして音声情報を取り込むとともに、イヤホン端子１６をオンにして、イヤホン接続時にはマイク８が取り込んだ音声をイヤホンを介して確認できるようにする。そして、録画中に着信音などが鳴らないようにスピーカ４をオフにする。このように、ムービー撮影モードに選択された時点で、マイクオン、スピーカオフ、イヤホンが接続されていればイヤホンオンと制御される。
【００１５】
ムービー撮影モードに選択された時点で、マイクオン、スピーカオフ、イヤホンオンと制御されることにより、ユーザは被写体から発せられる音が良好に録音できるか、端末に接続されたイヤホンなどを介して事前に確認することができるとともに、録画開始前に発生した着信によりシャッターチャンスを逃すという問題を回避することができる。そして、ユーザが録画開始ボタンを押すとムービー撮影が開始される。録画開始ボタンの押下に応じて、ＣＰＵ１４は、録画終了が指示されるまでの間、カメラＡ１１が撮影した映像信号を、マイク８が取り込んだ音声信号とともにメモリ２１に記憶させる処理を継続する。なお、図２に示す操作部２０とは、図１のキー操作部７のほか携帯電話機筐体の側面に設けられたサイドボタンなども含む。
【００１６】
入出力音声信号処理部２２は、マイク８から入力された音声情報を符号化することにより、規格化された音声信号に変換する処理や、アンテナ２３が受信して無線部２４が復調した無線信号に含まれる音声信号を復号化してスピーカ４から出力する音声情報に変換する処理を行う音声コーデックを含む。ムービー撮影中に、マイク８を介して入力された音声情報は、入出力音声信号処理部２２にて規格化された音声信号に変換された後、映像信号とともにメモリ２１に記憶される。一方、通話時にマイク８を介して入力された音声情報は、入出力音声信号処理部２２にて規格化された音声信号に変換された後、無線部２４にて変調されてアンテナ２３より外部の無線通信網に送信される。このほか、入出力音声信号処理部２２は音源に登録された、例えば着信音や警告音など各種音声をスピーカ４から出力させる処理も行う。
【００１７】
図３は、上筐体２と下筐体６が閉じられた状態の携帯電話機を示す平面図であり、特に通常の待ち受け時のサブディスプレイ１０の表示内容を示している。図３において、図１と同一の符号は同一または相当部分を示すので説明は省略する。サブディスプレイ１０には、待ちうけ時、日付と時刻および受信状態を示すアンテナバー２５が表示されている。筐体の側面部分に配置されているボタン２６および２７はサイドボタンであり、これらのボタンを待ち受け時に操作すると、サブディスプレイ１０に例えばメニュー画面が表示される。また、カメラ起動時に上記サイドボタンを操作すると、シャッターを切ったり、倍率が切り換えられる。
【００１８】
図４は、上筐体２と下筐体６が閉じられた状態の携帯電話機を横向きにして示す平面図であり、写真やムービー撮影時のサブディスプレイ１０の表示内容を示している。図４において、図３と同一の符号は同一または相当部分を示すので説明は省略する。利用者は下筐体６のキー操作部７が配置された面の反対側の面に設けられた、相手撮り用のカメラ１１（図２のカメラＡ）で撮影を行う際、上筐体２と下筐体６が折り畳まれた状態の携帯電話機を保持し、カメラ１１を被写体に向け、上筐体２に設けられたサブディスプレイ１０が利用者側に向くように携帯電話機を保持する。カメラのシャッターとなるボタン２６は携帯電話機の筐体の側面に設けられているので、利用者はボタン２６が設けられた側面が上側に位置するように、携帯電話機を横向きに保持することになる。そして、利用者がボタン２６、２７を操作してカメラ１１を起動すると、サブディスプレイ１０に被写体が表示される。利用者は、被写体が表示されたサブディスプレイ１０をファインダとして使用する。サブディスプレイ１０に表示された被写体を確認した利用者が、例えばボタン２６を押下すると、シャッターが切られて撮影が実行される。
【００１９】
また、利用者が上筐体２のメインディスプレイ３が設けられた面に設けられた自分撮り用のカメラ５（図２のカメラＢ）で撮影を行う際、上筐体２と下筐体６が開かれた状態の携帯電話機を保持し、自分撮り用のカメラ５が自分に向くように携帯電話機を保持する。カメラのシャッターは、下筐体６に設けられたキー操作部７のいずれかのボタンに割り当てられているので、利用者はメール閲覧や電話をかけるときと同様、メインディスプレイ３が縦向きになるように、携帯電話機の下筐体６を保持することになる。そして、利用者がキー操作部７のボタンを操作してカメラ５を起動すると、メインディスプレイ３に被写体が表示される。利用者はメインディスプレイ３をファインダとして使用する。メインディスプレイ３に表示された被写体を確認した利用者が、キー操作部７のシャッターに割り当てられたボタンを操作すると、シャッターが切られて撮影が実行される。上記説明のように、下筐体６の背面側に相手撮り用のカメラ１１、上筐体２のメインディスプレイ３が設けられた面に自分撮り用のカメラ５が設けられた２つ折れ携帯電話機では、相手撮りを行うときには携帯電話機を横向きに保持し、自分撮りを行うときには携帯電話機を縦向きに保持することが一般的である。
【００２０】
以下、相手撮り用のカメラ１１を起動して撮影を行うまでにサブディスプレイ１０に表示されるメニュー画面について説明する。図５は、利用者が選択可能な、例えばカメラを含むアプリケーションプログラムを一覧表示したメニュー画面を含む画像情報が縦方向に表示されたサブディスプレイ１０を示す平面図である。図６は、カメラを制御するカメラメニューが横方向に表示されたサブディスプレイ１０を示す平面図であり、図５に示すメニュー画面のうち、利用者により選択された選択アプリケーションプログラム（カメラ）に関連するカメラメニューが表示画像として表示されている。図７は、カメラの設定に関する項目がメニューとして横方向に表示されたサブディスプレイ１０を示す平面図である。図５〜図７において、図３と同一の符号は同一または相当部分を示すので説明は省略する。携帯電話機を折り畳んだ状態で保持し、ボタン２６ないし２７を操作すると、携帯電話機を折り畳んだ状態で実行可能なアプリケーション、つまり利用者が選択可能なアプリケーションプログラムの一覧がメニュー画面として、稼動表示部であるサブディスプレイ１０に縦向きに一覧表示される。利用者が一覧表示された項目のうち「カメラ」を選択すると、選択アプリケーションプログラムであるカメラに関する選択可能な項目が横向きに一覧表示される。
【００２１】
カメラに関するメニューが横向きに一覧表示されるのは、相手撮り用のカメラ１１を用いて撮影を行う場合には、携帯電話機を横向きに保持することが想定されているためである。図６に示すように、サブディスプレイ１０に横方向に表示されたカメラメニューの項目のうち、例えば、「カメラ撮影」を選択すると、サブディスプレイ１０に被写体が表示される。利用者はサブディスプレイ１０をファインダとして使用し、写真撮影を実行することができる。写真撮影中、カメラ１０の設定を変更したい場合、ボタン２６ないし２７を操作することにより、図７に示すように、カメラの設定に関する項目がサブディスプレイ１０に横方向に表示される。一方、カメラ以外のアプリケーションプログラムを選択した場合には、選択アプリケーションプログラムに関連するメニューがサブディスプレイ１０に縦方向に表示される。つまり、カメラは、メニュー画面に含まれるアプリケーションプログラムのうち、表示方向を横方向にするよう特に定められたアプリケーションプログラムである。なお、表示方向を横方向にするよう特に定められたアプリケーションプログラムが実行されている間に、着信が発生した場合、図９に示すような着信報知メッセージが横方向に表示される。また、カメラ１１が起動されたにもかかわらずレンズカバー１２が閉じられているときには、図１１に示すような警告メッセージが横方向に表示される。
【００２２】
図８は、カメラに関するメニューが縦方向に表示されたメインディスプレイ３を示す平面図である。図８において、図１ないし図７に示す符号と同一の符号は同一または相当部分を示すので説明は省略する。利用者が上筐体２の自分撮り用のカメラ５（図２のカメラＢ）で撮影を行う際、上筐体２と下筐体６が開かれた状態の携帯電話機を保持し、自分撮り用のカメラ５が自分に向くように携帯電話機を保持する。自分撮り用のカメラ５を用いる場合、利用者は、下筐体６のキー操作部７の所定のボタンを操作して、カメラを含む、利用者により選択可能な各種アプリケーションをメニュー画面として表示させる。そして、利用者がキー操作部７のボタンを操作してメニュー画面のうちカメラ５を選択アプリケーションプログラムとして選択すると、メインディスプレイ３に被写体が表示される。利用者はメインディスプレイ３をファインダとして使用する。メインディスプレイ３に表示された被写体を確認した利用者が、キー操作部７のシャッターに割り当てられたボタンを操作すると、シャッターが切られて撮影が実行される。
【００２３】
ところで、相手撮り用のカメラ１１を用いて撮影するつもりで、携帯電話機を横向きに保持しながら、サブディスプレイ１０にカメラ関連のメニューを表示させた後、自分撮り用のカメラ５を用いる撮影に変更したい場合が生じる。逆に、自分撮り用のカメラ５を用いて撮影するつもりで、上筐体２と下筐体６が開かれた携帯電話機の下筐体６を保持しながら、メインディスプレイ３にカメラ関連のメニューを表示させた後、相手撮り用のカメラ１１を用いる撮影に変更したい場合も生じる。以下説明する本発明の実施の形態１に係る携帯電話機は、カメラ関連のメニューが表示される稼動表示部を切り換えるとともに、稼動表示部であるディスプレイに応じて、カメラ関連のメニューの表示方向を縦方向と横方向に切り換えるものである。
【００２４】
図１１は本発明の実施の形態１に係る携帯電話機の動作を示すフローチャートである。図１１は、カメラが起動された際に、メインディスプレイ３とサブディスプレイ１０のうち、いずれのディスプレイにメニュー表示させるか選択し、かつ選択されたディスプレイに応じて表示方向を切り換える処理を説明するフローチャートである。以下、適宜図２を参照しながら図１１に示す処理について説明する。ステップ１において、利用者が下筐体６のキー操作部７、あるいはボタン２６ないし２７（図２の操作部２０）を操作して、カメラメニュー表示を指示すると、ステップ２において、ＣＰＵ（制御部）１４は上筐体２と下筐体６の開閉状態を検出する筐体開閉検出部１３から出力された信号に基づいて、上筐体２と下筐体６が開かれているか、あるいは折り畳まれているか筐体状態を判断する。
【００２５】
そして、ＣＰＵ１４は、筐体開閉検出部１３が検出した筐体状態の変化に基づいて、上筐体２と下筐体６が閉じられていると判断すると（ステップ３でＹｅｓ）、ステップ４において、カメラメニューを表示させる稼動表示部をサブディスプレイ１０に決定し、ディスプレイ駆動回路１９を制御してサブディスプレイ１０にカメラメニューを表示させる。このとき、サブディスプレイ１０には図６に示されるように、カメラメニューが横方向に表示されている。一方、ＣＰＵ１４は、筐体開閉検出部１３から出力された信号に基づいて、上筐体２と下筐体６が開かれていると判断すると（ステップ３でＮｏ）、ステップ５において、カメラメニューを表示させる稼動表示部をメインディスプレイ３に決定し、ディスプレイ駆動回路１９を制御してメインディスプレイ３にカメラメニューを表示させる。このとき、メインディスプレイ３には図８に示されるように、カメラメニューが縦方向に表示されている。
【００２６】
ステップ４において、サブディスプレイ１０にカメラメニューが横方向に表示された状態で、ＣＰＵ１４が筐体が開かれたことを検出すると（ステップ６でＹｅｓ）、ＣＰＵ１４は、ディスプレイ駆動回路１９を制御して、横方向に表示されているカメラメニューをサブディスプレイ１０から消去し、メインディスプレイ３にカメラメニューを縦方向に表示させる（ステップ７）。上記説明のように、本発明に係る携帯電話機は、利用者によりカメラメニュー表示が指示されると、筐体の開閉状態を検出する。そして、筐体の開閉状態に応じて、カメラメニューを表示させるディスプレイを選択するとともに、選択されたディスプレイに応じて、カメラメニューを縦方向ないし横方向に表示させる。とくに、上記説明の携帯電話機は、筐体が閉じられた状態でカメラメニュー表示が指示された場合、利用者が携帯電話機を横向きに保持しているのに応じて、サブディスプレイ１０にカメラメニューを横方向に表示させ、筐体が開放された状態でカメラメニュー表示が指示された場合、利用者が携帯電話機を縦向きに保持しているのに応じて、メインディスプレイ３にカメラメニューを縦方向に表示させる。
【００２７】
したがって、上記説明にかかる携帯電話機は、選択されたアプリケーションに応じて、画面の表示方向を一律に固定するのではなく、筐体の開閉状態から稼動表示部であるディスプレイを判断して、表示画像の表示方向を柔軟に切り換えることができるという効果を奏する。また、図１１のステップ４、６、７の処理により、相手撮り用のカメラ１１を用いて撮影するつもりで、携帯電話機を横向きに保持しながら、サブディスプレイ１０にカメラ関連のメニューを表示させた後、自分撮り用のカメラ５を用いる撮影に変更した場合に、カメラメニューの表示方向を切り換える処理を行うこともできる。
【００２８】
なお、上記説明に係る携帯電話機は、自分撮り用のカメラ５と相手撮り用のカメラ１１の２系統のカメラを備え、筐体状態に応じて、使用するカメラを切り換えて撮影方向を変更していた。しかし、ヒンジ部９にカメラを内蔵しておき、ヒンジ部９の回動に応じて撮影方向を変更するように構成してもかまわない。
【図面の簡単な説明】
【００２９】
【図１】図１はカメラ付き携帯電話機の外観を示す平面図である。
【図２】図２は本発明の実施の形態１にかかるカメラ付き携帯電話機の構成を示すブロック図である。
【図３】図３は待ち受け時のサブディスプレイの表示内容を示す平面図である。
【図４】図４はカメラ撮影時のサブディスプレイの表示内容を示す平面図である。
【図５】図５は利用者が選択可能なアプリケーションプログラムを一覧表示したメニュー画面が表示されたサブディスプレイを示す平面図である。
【図６】図６はカメラを制御するカメラメニューが横方向に表示されたサブディスプレイを示す平面図である。
【図７】図７はカメラの設定に関する項目がメニューとして横方向に表示されたサブディスプレイを示す平面図である。
【図８】図８はカメラを制御するカメラメニューが縦方向に表示されたメインディスプレイを示す平面図である。
【図９】図９は着信報知メッセージが横方向に表示されたサブディスプレイを示す平面図である。
【図１０】図１０は警告メッセージが横方向に表示されたサブディスプレイを示す平面図である。
【図１１】図１１は本発明の実施の形態１に係る携帯電話機の動作を示すフローチャートである。
【符号の説明】
【００３０】
１  携帯電話機、２  上筐体、３  メインディスプレイ、４  スピーカ、５  カメラＢ、
６  下筐体、７  キー操作部、８  マイク、９  ヒンジ部、１０  サブディスプレイ、
１１  カメラＡ、１２  レンズカバー、１３  筐体開閉検出部、１４  ＣＰＵ、
１５  カメラ・マイク・スピーカ制御部、１６  イヤホン端子、
１７  カメラ画像処理部、１８  ファインダ画面表示部、１９  ディスプレイ駆動回路、
２０  操作部、２１  メモリ、２２  入出力音声信号処理部、２３  アンテナ、
２４  無線部、２５  アンテナバー、２６  ボタン、２７  ボタン
【図１】
2005323241.tif 000003
【図２】
2005323241.tif 000004
【図３】
2005323241.tif 000005
【図４】
2005323241.tif 000006
【図５】
2005323241.tif 000007
【図６】
2005323241.tif 000008
【図７】
2005323241.tif 000009
【図８】
2005323241.tif 000010
【図９】
2005323241.tif 000011
【図１０】
2005323241.tif 000012
【図１１】
2005323241.tif 000013